(57)【要約】【課題】  光ディスク再生装置において、アナログレコードの特殊再生を行う場合と同様の操作により特殊再生を行うことができ、アナログレコードの音楽再生を行う場合と同様に音楽の再生位置を認識することができる光ディスク再生装置を提供する。【解決手段】  筐体と、データ読取部と、データ記憶部と、再生部と、貫通する複数の孔を備える円盤部と、円盤部を回転駆動する駆動部と、光を透過する材質から成り円盤部に載置される操作円盤部と、操作円盤部の回転速度及び方向を検出する検出部と、円盤部の孔の下方に配設され筐体に固定される複数の発光部と、円盤部が基準速度及び方向で回転するよう制御し、操作円盤部が基準速度及び方向のとき基準読み出し速度及び順序でデータを読み出すよう制御し、記憶部のデータの読み出し速度及び順序を制御し、ディスクに記録された総再生時間及び再生時間に応じて発光部を発光させるよう制御する制御部とを備える。【選択図】  図２
2005108320.tif 000002
【特許請求の範囲】
【請求項１】
筐体と、光ディスクに記録されたオーディオデータを読み取る読取部と、前記読取部が読み取ったオーディオデータを記憶する記憶部と、前記記憶部が記憶したオーディオデータを再生する再生部と、半径方向の異なる位置に貫通する複数の孔を備える円盤部と、前記円盤部を回転駆動する駆動部と、光を透過する材質から成り前記円盤部に載置される操作円盤部と、前記操作円盤部の回転速度及び回転方向を検出しパルス信号を出力する検出部と、前記円盤部の孔の下方に配設され前記筐体に固定される複数の発光部と、前記円盤部が基準回転速度及び基準回転方向で回転するよう前記駆動部を制御し、前記パルス信号によって前記操作円盤部が基準回転速度及び基準回転方向で回転していると判別した場合前記記憶部に記憶したオーディオデータを基準読み出し速度及び基準読み出し順序で読み出すよう制御し、前記パルス信号によって前記回転円盤部が基準速度及び基準回転方向で回転していないと判別した場合前記検出部からのパルス信号に応じた読み出し速度及び読み出し順序で前記記憶部に記憶したオーディオデータを読み出す制御をし、光ディスクに記録されたオーディオデータの総再生時間及び前記再生部が再生するオーディオデータの再生時間に応じて前記複数の発光部の内から１の発光部を発光させるよう制御する制御部とを備えることを特徴とする光ディスク再生装置。
【請求項２】
筐体と、光ディスクに記録されたオーディオデータを読み取る読取部と、前記読取部が読み取ったオーディオデータを記憶する記憶部と、前記記憶部が記憶したオーディオデータを再生する再生部と、半径方向の異なる位置に貫通する複数の孔を備える円盤部と、前記円盤部を回転駆動する駆動部と、光を透過する材質から成り前記円盤部に載置される操作円盤部と、前記操作円盤部の回転速度及び回転方向を検出しパルス信号を出力する検出部と、前記円盤部の孔の下方に配設され前記円盤部に固定される複数の発光部と、前記円盤部が基準回転速度及び基準回転方向で回転するよう前記駆動部を制御し、前記パルス信号によって前記操作円盤部が基準回転速度及び基準回転方向で回転していると判別した場合前記記憶部に記憶したオーディオデータを基準読み出し速度及び基準読み出し順序で読み出すよう制御し、前記パルス信号によって前記回転円盤部が基準速度及び基準回転方向で回転していないと判別した場合前記検出部からのパルス信号に応じた読み出し速度及び読み出し順序で前記記憶部に記憶したオーディオデータを読み出す制御をし、光ディスクに記録されたオーディオデータの総再生時間及び前記再生部が再生するオーディオデータの再生時間に応じて前記複数の発光部の内から１の発光部を発光させるよう制御する制御部とを備えることを特徴とする光ディスク再生装置。
【発明の詳細な説明】
【技術分野】
【０００１】
本発明は、光ディスクから再生したオーディオデータをメモリに記憶し、メモリに記憶したオーディオデータの読み出し速度及び読み出し順序を、操作円盤部の操作によって変化することができる光ディスク再生装置に関する。
【背景技術】
【０００２】
オーディオ再生装置を操作してオーディオデータを再生するディスクジョッキー（Disc Jockey（以下、DJという。））は、アナログレコードまたはコンパクトディスク（Compact Disc（以下、CDという。））等の光ディスクに記録されたオーディオデータを再生している最中に、擦れ音のような効果音を発生させるスクラッチ再生と呼ばれる特殊再生を行うことがある。DJは、アナログレコードを用いてスクラッチ再生を行う場合、アナログレコードを素早く正方向又は逆方向に回すことにより擦れ音を発生させる。また、このアナログレコードによるスクラッチ再生と同様の特殊再生を行うことが可能なDJ用のCDプレーヤがある（例えば、特許文献１参照）。
【０００３】
このCDプレーヤは、ジョグダイヤルとメモリを備えており、CDから再生したオーディオデータをメモリに記憶し、ジョグダイヤルを正方向又は逆方向に回すことにより、メモリに記憶されたオーディオデータの読み出し速度と読み出し順序を制御し、アナログレコードによる擦れ音と同等の効果音を発生させる。このように、DJは、CDに記録されたオーディオデータを再生しているとき、ジョグダイヤルをアナログレコードと同じように回転操作することにより、アナログレコードと同様のスクラッチ再生等の特殊再生を行うことができる。
【０００４】
上記のようなDJ用のCDプレーヤでは、ジョグダイヤルが操作されない場合、CDに記録されたオーディオデータを標準速度で再生（以下、通常再生という。）する。ジョグダイヤルが回転操作された場合、CDプレーヤは、ジョグダイヤルの回転速度及び回転方向を検出し、検出した回転速度及び回転方向に応じて、CDから再生しメモリに記憶したオーディオデータの読み出し速度及び読み出し順序を変える特殊再生を行う。
【０００５】
【特許文献１】特開２００１−３１２８５７号公報
【発明の開示】
【発明が解決しようとする課題】
【０００６】
DJが従来のCDプレーヤのジョグダイヤルを回転操作して、ジョグダイヤルから手を離した場合、ジョグダイヤルの回転が、慣性により直ぐに停止しないことがある。特にスクラッチ再生を行う場合、DJは、ジョグダイヤルを正方向又は逆方向に素早く回転させるので、ジョグダイヤルから手を離した後、ジョグダイヤルは直ぐに停止せず、回転が停止するまでに時間を要するため、DJが意図したタイミングで通常再生に戻すことができない。したがって、ジョグダイヤルを備えたCDプレーヤでは、アナログレコードと同様にジョグダイヤルを回転操作しても、アナログレコードのスクラッチ再生による効果音と同等の効果音を発生させることができないという課題があった。
【０００７】
また、ジョグダイヤルとメモリを備えたCDプレーヤには、例えば、再生ボタンを押圧することにより、ジョグダイヤルの操作を無効にすることができる機能を備えたものがある。このCDプレーヤを用いた場合、DJは、ジョグダイヤルの回転操作を終えた後、直ぐに再生ボタンを押圧することにより、それ以前に行っていたジョグダイヤルの回転操作が無効になるので、DJが意図したタイミングで特殊再生から通常再生に戻すことができる。しかし、この機能を利用する場合、操作がアナログレコードを用いて特殊再生を行う操作と異なるため、DJにとって操作に不自然さが残るという課題があった。
【０００８】
また、アナログレコードを用いて音楽を再生している場合、DJは、アナログレコードの上面の溝を摺動するレコード針を備えるカートリッジがアナログレコード上のどの位置にあるかを目視することによって、アナログレコードに記録された音楽のおおよその再生時間を認識することができる。例えば、アナログレコードを再生している場合に、カートリッジがアナログレコードの外周端付近の位置にあるとき、DJは、アナログレコードの再生位置が音楽の初めの位置であると認識する。また、カートリッジがアナログレコードの中央付近の位置にあるとき、DJは、アナログレコードの再生位置が音楽の終わりの位置であると認識する。
【０００９】
しかし、従来のCDプレーヤでは、表面に表示部を備え、この表示部がCDに記録された音楽の先頭からの再生経過時間や各トラックの先頭からの再生経過時間を表示する構成となっている。このため、アナログレコードを用いた音楽の再生に慣れているDJがCDプレーヤを用いると、音楽の再生位置を認識する手段がアナログレコードを用いた場合と異なるため、DJにとって操作に不自然さが残るという課題があった。
【００１０】
本発明は、光ディスク再生装置において、光ディスクの特殊再生をする場合、アナログレコードの特殊再生を行う場合と同様の操作により特殊再生を行うことができる光ディスク再生装置を提供することを目的とする。また、再生している光ディスクの再生位置をアナログレコードの再生を行う場合と同様に認識することができる光ディスク再生装置を提供することを目的とする。
【課題を解決するための手段】
【００１１】
本願の請求項１記載の発明は、光ディスク再生装置において、筐体と、光ディスクに記録されたオーディオデータを読み取る読取部と、前記読取部が読み取ったオーディオデータを記憶する記憶部と、前記記憶部が記憶したオーディオデータを再生する再生部と、半径方向の異なる位置に貫通する複数の孔を備える円盤部と、前記円盤部を回転駆動する駆動部と、光を透過する材質から成り前記円盤部に載置される操作円盤部と、前記操作円盤部の回転速度及び回転方向を検出しパルス信号を出力する検出部と、前記円盤部の孔の下方に配設され前記筐体に固定される複数の発光部と、前記円盤部が基準回転速度及び基準回転方向で回転するよう前記駆動部を制御し、前記パルス信号によって前記操作円盤部が基準回転速度及び基準回転方向で回転していると判別した場合前記記憶部に記憶したオーディオデータを基準読み出し速度及び基準読み出し順序で読み出すよう制御し、前記パルス信号によって前記回転円盤部が基準速度及び基準回転方向で回転していないと判別した場合前記検出部からのパルス信号に応じた読み出し速度及び読み出し順序で前記記憶部に記憶したオーディオデータを読み出す制御をし、光ディスクに記録されたオーディオデータの総再生時間及び前記再生部が再生するオーディオデータの再生時間に応じて前記複数の発光部の内から１の発光部を発光させるよう制御する制御部とを備えることを特徴とする。
【００１２】
本願の請求項２記載の発明は、光ディスク再生装置において、筐体と、光ディスクに記録されたオーディオデータを読み取る読取部と、前記読取部が読み取ったオーディオデータを記憶する記憶部と、前記記憶部が記憶したオーディオデータを再生する再生部と、半径方向の異なる位置に貫通する複数の孔を備える円盤部と、前記円盤部を回転駆動する駆動部と、光を透過する材質から成り前記円盤部に載置される操作円盤部と、前記操作円盤部の回転速度及び回転方向を検出しパルス信号を出力する検出部と、前記円盤部の孔の下方に配設され前記円盤部に固定される複数の発光部と、前記円盤部が基準回転速度及び基準回転方向で回転するよう前記駆動部を制御し、前記パルス信号によって前記操作円盤部が基準回転速度及び基準回転方向で回転していると判別した場合前記記憶部に記憶したオーディオデータを基準読み出し速度及び基準読み出し順序で読み出すよう制御し、前記パルス信号によって前記回転円盤部が基準速度及び基準回転方向で回転していないと判別した場合前記検出部からのパルス信号に応じた読み出し速度及び読み出し順序で前記記憶部に記憶したオーディオデータを読み出す制御をし、光ディスクに記録されたオーディオデータの総再生時間及び前記再生部が再生するオーディオデータの再生時間に応じて前記複数の発光部の内から１の発光部を発光させるよう制御する制御部とを備えることを特徴とする。
【発明の効果】
【００１３】
本発明によれば、光ディスク再生装置において、光ディスクの特殊再生をする場合、アナログレコードの特殊再生を行う場合と同様の操作により特殊再生を行うことができる光ディスク再生装置を提供することを目的とする。また、再生している光ディスクの再生位置をアナログレコードの再生を行う場合と同様に認識することができる光ディスク再生装置を提供することができる。
【発明を実施するための最良の形態】
【００１４】
以下、本発明の実施の形態を図面に基づいて説明する。
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０はアンプ、１１は出力端子、１２は制御部、１３は表示部、１４は操作部を示す。本実施例の光ディスク再生装置は、操作部１４に読出指示部としてのジョグダイヤル部を備え、ジョグダイヤル部の回転速度及び回転方向に応じて、CDから再生しRAM８に記憶されたデジタルオーディオデータの読み出し速度及び読み出し順序を変えることができるDJ用のCDプレーヤである。
【００１５】
スピンドルモータ２に固定されたターンテーブル１は、CDを固定する。操作部１４から再生開始の指示が入力されると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００１６】
光ピックアップ４が再生したデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００１７】
メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出されDAC９に入力される。
【００１８】
DAC９は、デジタルオーディオデータをアナログオーディオ信号に変換しアンプ１０に入力する。DAC９から入力されたアナログオーディオ信号は、アンプ１０により増幅され出力端子１１に接続したスピーカ等から出力される。
【００１９】
表示部１３は、現在再生しているトラックの再生時間、トラックナンバー等を表示する。操作部１４は、ジョグダイヤル部、再生ボタン、再生停止ボタン、イジェクトボタン等を備えている。
【００２０】
図２は、本発明の一実施例である光ディスク再生装置の操作部１４が備えるジョグダイヤル部の断面を示す図である。
図３は、図２に示すジョグダイヤル部の上面図である。
図２及び図３において、２１はモータ、２２はシャフト、２５は円盤部、２７はシート部、２８は操作円盤部、２９はストッパー部、３０は筐体、３１は第１光センサ部、３２は第２光センサ部、３５は第１のＬＥＤ、３６は第２のＬＥＤ、３７は第３のＬＥＤ、３８はＬＥＤ保持部を示す。
【００２１】
図２に示すジョグダイヤル部の構成について説明する。
筐体３０には、モータ２１が固定され、モータ２１の回転軸２２には、固定保持部２３が固定されている。保持部２４は、固定保持部２３の上面に載置されている。この保持部２４は、摩擦係数の大きい部材であり、例えば、ゴム等の弾性体である。円盤部２５は、保持部２４の上面に載置されている。この円盤部２５の裏面には、スリット部２６が設けられている。スリット部２６は、例えば、円盤部２５と同材質であり、等間隔に長方形状の開口部を設けたリング状の板である。円盤部２５は、上下に貫通する孔２５１〜孔２５３を備える。
【００２２】
図２及び図３に示すように、孔２５１は円盤部２５の外周部分に配設され、孔２５２は円盤部２５の中心部分と外周部分の略中間地点に配設され、孔２５３は円盤部２５の中央部分から少し外れた位置に配設される。
【００２３】
シート部２７は、透明または半透明な部材から成り、円盤部２５の上面に載置されている。シート部２７として、例えば、回転している円盤部２５の回転速度に、停止している操作円盤部２８が０．１〜０．２秒後に追従して回転できる程度の摩擦係数を有する部材を用いる。また、操作円盤部２８は、モータ２１から伝わる駆動トルクに追従できるように面積を大きくし、材質及び厚みを調節することで、載置されているシート部２７が小さい摩擦係数であっても、操作円盤部２８から手が離れると、予め定められた速度で回転を再開するように、自重と慣性モーメントを小さくしておく。操作円盤部２８は、シート部２７の上面に載置されている。操作円盤部２８は、透明または半透明な部材からなる。この操作円盤部２８の外周部には、等間隔に長方形状の開口部を備えたスリット部３３が設けられている。スリット部３３には、図示しない黒色等の光を遮断する塗料が塗布されている。ストッパー部２９は、保持部２４，円盤部２５、シート部２７及び操作円盤部２８が回転軸２２から外れないように回転軸２２に固定されている。
【００２４】
第１光センサ部３１は、操作円盤部２８の回転方向を検出するために２の光センサから構成され、スリット部３３の開口部を検出できるように筐体３０に固定されている。同様に、第２光センサ部３２は、２の光センサから構成され、スリット部２６の開口部を検出できるように筐体３０に固定されている。
【００２５】
ここで、光センサ部による回転状態の検出方法を説明する。以下の説明は、操作円盤部２８を例にあげて行なう。
第１光センサ部３１の２つの光センサをそれぞれセンサＡ及びセンサＢとする。センサＡ及びセンサＢはスリット部３３の開口部を検出したとき、ＯＦＦを示すパルス信号を出力し、操作円盤部２８で閉ざされたとき、ＯＮを示すパルス信号を出力する。
センサＡ及びセンサＢは、それらから出力されるパルス信号の組み合わせとして、以下の４通りの出力パターンが発生するように配置される。
パターン１：（センサＡ）ＯＮ−（センサＢ）ＯＮ
パターン２：（センサＡ）ＯＮ−（センサＢ）ＯＦＦ
パターン３：（センサＡ）ＯＦＦ−（センサＢ）ＯＮ
パターン４：（センサＡ）ＯＦＦ−（センサＢ）ＯＦＦ
ここで、操作円盤部２８の回転速度は、制御部１２において、所定の時間に出力されるパルス数に従って算出される。そして、回転方向は、制御部１２において、操作円盤部２８の回転方向に伴って変化するセンサＡ及びセンサＢからのパルス信号の出力パターンの発生順によって判断する。
具体的には、例えば、操作円盤部２８が時計回りに回転した場合は、
パターン４→パターン２→パターン１→パターン３→パターン４→パターン２・・・
といった順序で出力パターンが発生する。
一方、操作円盤部２８が反時計回りに回転した場合は、
パターン２→パターン４→パターン３→パターン１→パターン２→パターン４・・・
といった順序で出力パターンが発生する。
このように、制御部１２は、上述した出力パターンの発生順の違いを検出し、操作円盤部２８の回転方向を判断する。なお。第２光センサ部３２による円盤部２５の回転状態の検出も上述した説明と同様の検出方法であり、説明を省略する。
【００２６】
第１光センサ部３１は、操作円盤部２８のスリット部３３の開口部を検出し、操作円盤部２８の回転状態（回転速度及び回転方向）に応じた第１パルス信号を発生し制御部１２に入力する。また、第２光センサ部３２は、円盤部２５のスリット部２６の開口部を検出し、円盤部２５の回転状態に応じた第２パルス信号を発生し制御部１２に入力する。
【００２７】
制御部１２は、第１光センサ部３１から入力された第１パルス信号に応じて、RAM８に記憶されたデジタルオーディオデータの読み出す速度及び方向を判別し、メモリ制御部７を制御する。また、制御部１２は、第２光センサ部３２から入力される第２パルス信号から、円盤部２５の回転速度を予め定められた速度に保つようにモータ２１を制御する。
【００２８】
第１のＬＥＤ３５〜第３のＬＥＤ３７は、それぞれＬＥＤ保持部３８によって筐体３０の上面に固定されている。図２及び図３に示すように、第１のＬＥＤ３５は孔２５１の下方に配設され、第２のＬＥＤ３６は孔２５２の下方に配設され、第３のＬＥＤ３７は、孔２５３の下方に配設されている。
【００２９】
制御部１２は、再生している光ディスクの総再生時間及び現在の再生位置を検出する。制御部１２は、検出した光ディスクの総再生時間及び再生位置により、現在の再生位置が先頭から１／４未満の位置であるとき第１のＬＥＤ３５を発光させ、再生位置が先頭から１／４の以上且つ３／４未満の位置であるとき第２のＬＥＤ３６を発光させ、再生位置が先頭から３／４以上の位置であるとき第３のＬＥＤ３７を発光させるよう制御する。つまり、制御部１２は、例えば、総再生時間が２０分の光ディスクを再生している場合、再生位置が先頭から５分未満の位置であるときは第１のＬＥＤ３５を発光し、再生位置が先頭から５分以上〜１５分未満の位置であるときは第２のＬＥＤ３６を発光し、再生位置が先頭から１５分以上の位置であるときは第３のＬＥＤ３７を発光するよう制御する。
【００３０】
円盤部２５が回転している状態で第１のＬＥＤ３５が発光すると、この光は、孔２５１の位置が第１のＬＥＤ３５の上方の位置を通過する毎に、孔２５１からシート部２７及び操作円盤部２８を透過して操作円盤部２８の上方から視認できる。また、円盤部２５が回転している状態で第２のＬＥＤ３６が発光すると、この光は、孔２５２の位置が第２のＬＥＤ３６の上方の位置を通過する毎に、孔２５２からシート部２７及び操作円盤部２８を透過して操作円盤部２８の上方から視認できる。また、円盤部２５が回転している状態で第３のＬＥＤ３７が発光すると、この光は、孔２５３の位置が第３のＬＥＤ３７の上方の位置を通過する毎に、孔２５３からシート部２７及び操作円盤部２８を透過して操作円盤部２８の上方から視認できる。
【００３１】
本実施例の光ディスク再生装置は、CDに記録されたオーディオデータを再生する場合、モータ２１は、予め定められた速度（例えば、アナログレコードプレーヤの再生時におけるターンテーブルの角速度）で回転する。モータ２１が予め定められた速度で回転しているとき、保持部２４，円盤部２５、シート部２７及び操作円盤部２８は、同じ速度で回転する。モータ２１の回転方向は、アナログレコードプレーヤのターンテーブルの回転方向（右回り）と同じ方向である。このため、本実施例の光ディスク再生装置では、アナログレコードを用いて特殊再生を行う操作と同様の操作をすることができる。
【００３２】
本実施例の光ディスク再生装置では、上記予め定められた速度を、例えば、アナログレコードプレーヤの再生時におけるターンテーブルの速度と設定し、また、回転方向を、アナログレコードプレーヤのターンテーブルの回転方向と設定する。ここで、保持部２４、円盤部２５、シート部２７及び操作円盤部２８は、モータ２１と同じ速度で同方向に回転するため、本実施例の光ディスク再生装置においてCDに記録されたオーディオデータを再生する場合、操作円盤部２８がアナログレコードと類似の動きをすることとなる。
なお、通常の動作では、操作者が、操作円盤部２８に例えば手を乗せるなどの操作をした場合、円盤部２５は、シート部２７の摩擦係数が小さいため、操作円盤部２８の動作に影響されることなく、予め定められた速度で回転し続ける。しかし、操作円盤部２８に与えられる力が大きくなると、それに伴い摩擦力も大きくなり、円盤部２５が操作円盤部２８の動作に影響を受けるようになる。このような場合にも、制御部１２のフィードバック制御により、円盤部２５の回転は一定の速度に保たれる。
【００３３】
先ず、予め定められた速度で回転している操作円盤部２８を停止する場合における、本実施例の光ディスク再生装置の再生動作について説明する。
【００３４】
先ず、DJは、予め定められた速度で回転している操作円盤部２８に手を乗せ回転速度を徐々に遅くする。このとき、円盤部２５は、シート部２７の摩擦係数が小さいため、操作円盤部２８の回転速度に影響されることなく、予め定められた速度で回転する。操作円盤部２８の回転速度が変化すると、第１光センサ部３１から一定時間に発生する第１パルス信号のパルス数は、操作円盤部２８の回転速度に応じて変化する。制御部１２は、第１光センサ部３１から一定時間に入力された第１パルス信号のパルス数から操作円盤部２８の回転速度を判別する。制御部１２は、判別した回転速度に応じて、メモリ制御部７を制御する。メモリ制御部７は、RAM８から読み出すデジタルオーディオデータの速度を遅くする制御をする。
【００３５】
操作円盤部２８の回転が停止したとき、第１光センサ部３１は、制御部１２に第１パルス信号を入力しない。制御部１２は、第１光センサ部３１から第１パルス信号の入力がない場合、メモリ制御部７にRAM８からデジタルオーディオデータの読み出しを停止する制御をする。
【００３６】
DJが操作円盤部２８から手を離し操作が終了すると、操作円盤部２８は、円盤部２５が予め定められた速度で回転しているので、直ちに、予め定められた速度で回転を再開する。操作円盤部２８が予め定められた速度で回転を再開すると、制御部１２は、メモリ制御部７に通常再生時の読み出し速度でRAM８からデジタルオーディオデータを読み出す制御をする。
【００３７】
また、DJは、予め定められた速度で回転している操作円盤部２８を手で予め定められた速度より速く回転させて回転速度を徐々に速くする場合、制御部１２は、第１光センサ部３１から一定時間に入力された第１パルス信号のパルス数に応じて、メモリ制御部７にRAM８から読み出すデジタルオーディオデータの速度を速くする制御をする。
【００３８】
次に、操作円盤部２８を定められた速度で回転している方向と逆方向に回転させる場合における、本実施例の光ディスク再生装置の再生動作について説明する。
【００３９】
DJは、手で予め定められた速度で回転している操作円盤部２８を逆方向（左回り）に回転させる。このとき、円盤部２５は、シート部２７の摩擦係数が小さいため、操作円盤部２８の回転速度及び方向に影響されることなく、予め定められた速度で回転することができる。第１光センサ部３１は、２の光センサを備えおり、操作円盤部２８の回転方向が変化すると、この２の光センサから発生するパルス信号の位相差は、操作円盤部２８の回転方向に応じて変化する。制御部１２は、この２の光センサから入力された第１パルス信号の位相差から操作円盤２８の回転方向を判別する。また、上述したように、制御部１２は、第１光センサ部３１から一定時間に入力された第１パルス信号のパルス数から操作円盤２８の回転速度を判別する。制御部１２は、判別した回転速度及び回転方向に応じて、メモリ制御部７を制御する。メモリ制御部７は、RAM８から読み出すデジタルオーディオデータの速度及び順序を制御する。
【００４０】
DJが操作円盤部２８から手を離し操作が終了すると、操作円盤部２８は、円盤部２５が予め定められた速度で回転しているので、予め定められた速度及び回転方向の回転を再開する。操作円盤部２８が予め定められた速度及び回転方向で回転を再開すると、制御部１２は、メモリ制御部７に通常再生時の読み出し速度でRAM８からデジタルオーディオデータの読み出す制御をする。
【００４１】
上述の実施例において、操作円盤部２８を操作しているとき、予め定められた速度で回転している円盤部２５の回転速度が変化すると、制御部１２は、第２光センサ部３２から一定時間に入力された第２パルス信号のパルス数に応じて、円盤部２５の回転速度が予め定められた速度を保つようにモータ２１を制御する。
【００４２】
本実施例の光ディスク再生装置を用いて、スクラッチ再生を行う場合、DJは、手で操作円盤部２８を素早く正方向又は逆方向に回転させる操作を繰り返す。制御部１２は、第１光センサ部３１から入力される第１パルス信号から、操作円盤部２８の回転速度及び回転方向を判別する。制御部１２は、判別した回転速度及び回転方向に応じて、メモリ制御部７を制御する。メモリ制御部７は、RAM８に記憶されたデジタルオーディオデータの読み出し速度及び読み出し順序（オーディオデータを昇順アドレスで読み出す又は降順で読み出す）を制御する。RAM８から読み出されたデジタルオーディオデータは、DAC９によりアナログオーディオ信号に変換され、アンプ１０により増幅されて出力端子１１に接続したスピーカから擦れ音のような効果音として出力される。
【００４３】
このように、本実施例の光ディスク再生装置は、操作部１４のジョグダイヤル部の円盤部２５と操作円盤部２８が予め定められた同じ速度で回転している状態から、操作円盤部２８を回転操作することにより、スクラッチ再生等の特殊再生を行うことができる構造となっている。このため、操作円盤部２８の操作終了後、操作円盤部２８は、予め定められた速度及び回転方向で回転を再開することができるので、特殊再生から通常再生に切り替えることができる。
【００４４】
また、制御部１２は、第２光センサ部３２から入力される第２パルス信号のパルス数から、円盤部２５の回転速度を予め定められた速度に保つようモータ２１を制御するので、操作円盤部２８の回転操作による円盤部２５の回転速度の変化を防ぐことができる。このため、操作円盤部２８の回転操作の終了後、操作円盤部２８は、予め定められた速度で回転を再開することができる。
【００４５】
本実施例の光ディスク再生装置は、DJが、孔２５１〜孔２５３からシート部２７及び操作円盤部２８を介して透過するＬＥＤの発光を目視することによって、光ディスクに記録された音楽のおおよその再生位置を認識することができる。例えば、音楽が記録された光ディスクを再生する場合、円盤部２５の外周部分に備えた孔２５１から第１のＬＥＤ３５の光が透過しているとき、DJは再生位置が音楽の初めの位置であると認識し、円盤部２５の中央と外周の中間位置に備えた孔２５２から第２のＬＥＤ３６の光が透過しているとき、DJは再生位置が音楽の中間の位置であると認識し、円盤部２５の中央付近の位置に備えた孔２５３から第３のＬＥＤ３７の光が透過しているとき、DJは再生位置が音楽の終わりの位置であると認識することができる。
【００４６】
このように、本実施例の光ディスク再生装置は、アナログレコードを用いて音楽を再生する場合にアナログレコードの上面のカートリッジの位置を目視することによって、アナログレコードに記録された音楽のおおよその再生位置を認識するのと同様に、再生している音楽のおおよその再生位置を認識することができる。これにより、アナログレコードを用いた音楽の再生に慣れているDJが本実施例の光ディスク再生装置を用いた場合、アナログレコードに記録された音楽の再生を行う場合と同様に音楽の再生位置を認識することができるので、DJはアナログレコードの再生と同様の自然な操作を行なうことができる。
【００４７】
本実施例の光ディスク再生装置は、図３に示すように、円盤部２５の外周部分の位置から中央付近の位置までの間に孔２５１〜孔２５３を備える構成としたが、回転軸２２を中心として同心円上に孔２５１〜孔２５３を複数毎に備える構成としても良い。これにより、円盤部２５が回転している場合、それぞれの孔２５１〜孔２５３が第１のＬＥＤ３５〜第３のＬＥＤ３７の上方を通過する回数が増加し、それぞれのＬＥＤの発光が操作円盤部２８の上面に透過する回数が増加するので、DJは、第１のＬＥＤ３５〜第３のＬＥＤ３７の内、どのＬＥＤが発光しているのかを正確に認識することができる。
【００４８】
本実施例の光ディスク再生装置は、第１のＬＥＤ３５〜第３のＬＥＤ３７の３つのＬＥＤを備え、孔２５１〜孔２５３の３つの孔を備える構成としたが、それぞれ４つ以上のＬＥＤ及び孔を備え、光ディスクに記録された音楽の残り再生時間に応じて４つ以上のＬＥＤの内から１のＬＥＤを発光する構成としても良い。これにより、DJは、光ディスクに記録された音楽の再生位置を、より詳細に認識することができる。
【００４９】
本実施例の光ディスク再生装置は、第１のＬＥＤ３５〜第３のＬＥＤ３７をＬＥＤ保持部３８によって筐体３０に固定する構成としたが、第１のＬＥＤ３５〜第３のＬＥＤ３７をそれぞれ孔２５１〜孔２５３の下方に配置して円盤部２５に固定する構成としても良い。この場合、例えば、円盤部２５の下面には第１のＬＥＤ３５〜第３のＬＥＤ３７を発光させるための電力を供給する電池と、受信部を固定し、筐体３０には制御部１２が出力した制御信号を送信する送信部を備え、当該送信部が第１のＬＥＤ３５〜第３のＬＥＤ３７を発光させる制御信号を赤外線によって送信し、受信部が送信部から送信された制御信号を受信して第１のＬＥＤ３５〜第３のＬＥＤ３７を発光させる構成にする。このとき、円盤部２５が回転した状態で第１のＬＥＤ３５〜第３のＬＥＤ３７が発する光は、常にシート部２７及び操作円盤部２８を透過する。これにより、夜間や暗い周囲が暗い部屋で光ディスク再生装置を使用した場合、第１のＬＥＤ３５〜第３のＬＥＤ３７の内の１のＬＥＤから発せられた光は、回転軸２２を中心としてＬＥＤの光が残像となって円状に目視される。よって、DJは、その円状に残像となったＬＥＤの光を目視することにより、光ディスクのおおよその再生位置を認識することができる。
【図面の簡単な説明】
【００５０】
【図１】本発明の一実施例である光ディスク再生装置の構成を示すブロック図。
【図２】本実施例のジョグダイヤル部の構成を示す図。
【図３】図２に示すジョグダイヤル部の上面図。
【符号の説明】
【００５１】
１  ターンテーブル、２  スピンドルモータ、３  サーボ制御部、
４  光ピックアップ、５  再生アンプ、６  信号処理部、
７  メモリ制御部、８  RAM、９  DAC、１０  アンプ、
１１  出力端子、１２  制御部、１３  表示部、１４  操作部、
２１  モータ、２２  回転軸、２３  固定保持部、２４  保持部、
２５  円盤部、２５１  孔、２５２  孔、２５３  孔、
２６  スリット部、２７  シート部、
２８  操作円盤部、２９  ストッパー部、３０  筐体、
３１  第１光センサ部、３２  第２光センサ部、３３  スリット部、
３５  第１のＬＥＤ、３６  第２のＬＥＤ、３７  第３のＬＥＤ、
３８  ＬＥＤ保持部
【図１】
2005108320.tif 000003
【図２】
2005108320.tif 000004
【図３】
2005108320.tif 000005